(57)【要約】【課題】良好な操作性および適切なブラッシング圧を実現できる歯ブラシを提供する。【解決手段】植毛面２０に毛束が植設されたヘッド部２と、ヘッド部に延設されたネック部４と、ネック部に延設されたハンドル部とを備え、少なくとも前記ネック部における最も曲げ強度が小さい領域の断面形状は、三角形を形成する第１頂点〜第３頂点の位置にそれぞれ配置された頂部と、頂部間を結ぶ線部とを含む輪郭を有し、第１頂点と第２頂点とを結ぶ線分は、植毛面と平行である。【選択図】図３
2018023432.tif 000002
【特許請求の範囲】
【請求項１】
植毛面に毛束が植設されたヘッド部と、
該ヘッド部に延設されたネック部と、
該ネック部に延設されたハンドル部とを備え、
少なくとも前記ネック部における最も曲げ強度が小さい領域の断面形状は、三角形を形成する第１頂点〜第３頂点に対応する位置にそれぞれ配置された頂部と、前記頂部間を結ぶ線部とを含む輪郭を有し、
前記第１頂点と前記第２頂点とを結ぶ線分は、前記植毛面と平行であることを特徴とする歯ブラシ。
【請求項２】
前記線分と前記第３頂点との距離は、当該線分の長さよりも大きいことを特徴とする請求項１に記載の歯ブラシ。
【請求項３】
前記線分と前記第３頂点との距離は、当該線分の長さよりも小さいことを特徴とする請求項１に記載の歯ブラシ。
【請求項４】
前記第３頂点の頂角は、６０°以上、９０°以下であることを特徴とする請求項２または３に記載の歯ブラシ。
【請求項５】
前記第３頂点は、前記線分に対して前記植毛面側、或いは前記線分に対して前記植毛面とは逆側に配置されていることを特徴とする請求項１から４のいずれか一項に記載の歯ブラシ。
【請求項６】
前記ネック部における三つの前記線部に対応する面のうちの少なくとも一つは、前記線部が前記三角形の中心側に窪んだ略円弧状の曲線の凹曲面であることを特徴とする請求項１から５のいずれか一項に記載の歯ブラシ。
【請求項７】
前記ネック部は、前記ヘッド部から前記ハンドル部に向かうに従って断面積が大きくなっていることを特徴とする請求項１から６のいずれか一項に記載の歯ブラシ。
【発明の詳細な説明】
【技術分野】
【０００１】
本発明は、歯ブラシに関するものである。
【背景技術】
【０００２】
一般的な歯ブラシは、毛束が植設されるヘッド部、使用時に把持されるハンドル部、及びヘッド部とハンドル部とを接続するネック部を備えるハンドル体と、ヘッド部の植毛面に用毛の毛束が植設されてなる植毛部とを備えるものである。
口腔内清掃器具である歯ブラシにおいては、最も必要な機能である清掃効果を高めるために、種々の発明がなされてきた。清掃効果を高めるためには、植毛部を清掃対象部位に当接させ、清掃対象部位を適切なブラッシング圧及び角度で擦掃することが重要である。
【０００３】
特許文献１には、ヘッド部からハンドル部に向かうに従い、断面輪郭が略円形から略四角形、さらに略多角形と順次変化するネック部を有する歯ブラシが開示されている。特許文献１に開示された歯ブラシでは、ネック部の撓み方向を段階的に規制することで、適切なブラッシング圧を規定している。
【先行技術文献】
【特許文献】
【０００４】
【特許文献１】特開２０１３−１１８９４４号公報
【発明の概要】
【発明が解決しようとする課題】
【０００５】
しかしながら、上述した歯ブラシでは、ネック部が全方向に曲がるため、植毛部を清掃対象部位に当接させた場合でも適切な角度を維持しづらくなり操作性が低下する可能性がある。そこで、ネック部の曲げ強度を大きくすることも考えられるが、この場合、清掃時に清掃対象部位に過剰な力が加わる可能性がある。
【０００６】
本発明は、以上のような点を考慮してなされたもので、良好な操作性および適切なブラッシング圧を実現できる歯ブラシを提供することを目的とする。
【課題を解決するための手段】
【０００７】
本発明の第１の態様に従えば、植毛面に毛束が植設されたヘッド部と、該ヘッド部に延設されたネック部と、該ネック部に延設されたハンドル部とを備え、少なくとも前記ネック部における最も曲げ強度が小さい領域の断面形状は、三角形を形成する第１頂点〜第３頂点に対応する位置にそれぞれ配置された頂部と、前記頂部間を結ぶ線部とを含む輪郭を有し、前記第１頂点と前記第２頂点とを結ぶ線分は、前記植毛面と平行であることを特徴とする歯ブラシが提供される。
【０００８】
また、上記本発明の一態様に係る歯ブラシにおいて、前記線分と前記第３頂点との距離は、当該線分の長さよりも大きいことを特徴とする。
【０００９】
また、上記本発明の一態様に係る歯ブラシにおいて、前記線分と前記第３頂点との距離は、当該線分の長さよりも小さいことを特徴とする。
【００１０】
また、上記本発明の一態様に係る歯ブラシにおいて、前記第３頂点の頂角は、６０°以上、９０°以下であることを特徴とする。
【００１１】
また、上記本発明の一態様に係る歯ブラシにおいて、前記第３頂点は、前記線分に対して前記植毛面側、或いは前記線分に対して前記植毛面とは逆側に配置されていることを特徴とする。
【００１２】
また、上記本発明の一態様に係る歯ブラシにおいて、前記ネック部における三つの前記線部に対応する面のうちの少なくとも一つは、前記線部が前記三角形の中心側に窪んだ略円弧状の曲線の凹曲面であることを特徴とする。
【００１３】
また、上記本発明の一態様に係る歯ブラシにおいて、前記ネック部は、前記ヘッド部から前記ハンドル部に向かうに従って断面積が大きくなっていることを特徴とする。
【発明の効果】
【００１４】
本発明では、少なくともネック部における最も曲げ強度が小さい領域の断面形状が、三角形を形成する第１頂点〜第３頂点の位置にそれぞれ配置された頂部と、頂部間を結ぶ線部とを含む輪郭を有し、第１頂点と第２頂点とを結ぶ線分が植毛面と平行であるため、良好な操作性および適切なブラッシング圧を実現できる。
【図面の簡単な説明】
【００１５】
【図１】本発明の実施の形態を示す図であって、歯ブラシ１の平面図である。
【図２】同歯ブラシ１の正面図である。
【図３】ヘッド部２およびネック部４を模式的に示した部分斜視図である。
【図４】異挙動部４ＡをＹＺ平面で断面した図である。
【図５】実施例におけるネック部の断面輪郭を示す図である。
【図６】実施例におけるネック部の断面輪郭を示す図である。
【図７】実施例におけるネック部の断面輪郭を示す図である。
【図８】実施例におけるネック部の断面輪郭を示す図である。
【図９】ネック部の変形例の断面輪郭を示す図である。
【発明を実施するための形態】
【００１６】
以下、本発明の歯ブラシの実施の形態を、図１ないし図８を参照して説明する。
なお、以下の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００１７】
図１は、歯ブラシ１の平面図である。図２は、歯ブラシ１の正面図である。
図１の歯ブラシ１は、平面視略四角形のヘッド部２と該ヘッド部２に延設されたネック部４と該ネック部４に延設されたハンドル部６とが一体成形された略長尺状のハンドル体１０と、ヘッド部２に設けられた植毛部（不図示）とを備えるものである。
【００１８】
ハンドル体１０の材質は、ハンドル体１０に求める剛性や機械特性等を勘案して決定でき、例えば、曲げ弾性率（ＪＩＳ  Ｋ７２０３）５００ＭＰａ以上の樹脂（以下、硬質樹脂ということがある）が好ましく、曲げ弾性率２０００ＭＰａ以上の樹脂がより好ましい。ハンドル体１０に用いられる樹脂の曲げ弾性率の上限は特に限定されないが、例えば３０００ＭＰａとされる。
【００１９】
曲げ弾性率５００ＭＰａ以上の樹脂としては、例えば、ポリプロピレン（ＰＰ）、ポリエチレンテレフタレート（ＰＥＴ）、ポリブチレンテレフタレート（ＰＢＴ）、ポリシクロへキシレンジメチレンテレフタレート（ＰＣＴ）、ポリアセタール（ＰＯＭ）、ポリエチレンナフタレート（ＰＥＮ）、ポリスチレン（ＰＳ）、アクリロニトリル・ブタジエン・スチレン樹脂（ＡＢＳ）、セルロースプロピオネート（ＣＰ）、ポリアリレート、ポリカーボネート、アクリロニトリル・スチレン共重合樹脂（ＡＳ）等が挙げられ、中でも、曲げ弾性率２０００ＭＰａ以上であるＰＯＭ、ＰＥＮ、ＰＢＴ等が好ましい。曲げ弾性率２０００ＭＰａ以上の樹脂を用いることで、ヘッド部２を薄くし、ネック部４を細くして、口腔内での操作性を高められ、かつハンドル体１０の破損を防止できる。
【００２０】
また、ハンドル体１０は、ハンドル部６の一部又は全部が軟質樹脂で被覆されていてもよい。ハンドル部６の一部又は全部が軟質樹脂で被覆されていることで、使用者がハンドル部６を握った際の手のフィット感が向上し、また把持した手指が滑るのを防止できる。軟質樹脂としては、例えば、好ましくはショアＡ９０以下の樹脂、より好ましくはショアＡ１０〜４０の樹脂が挙げられる。このような軟質樹脂としては、例えば、ポリオレフィン系エラストマー、スチレン系エラストマー、ポリエステル系エラストマー、ポリウレタン系熱可塑性エラストマー等のエラストマー樹脂、シリコン等が挙げられる。
【００２１】
ハンドル体１０の長さは、操作性等を関して決定でき、例えば、１５０〜２００ｍｍとされる。
【００２２】
ヘッド部２は、ハンドル体１０の長さ方向が長手とされ、平面視においてネック部４側の頂部が曲線で隅切りされた略四角形の平板状とされ、一方の面（植毛面）２０に、植毛穴２２が複数形成されたものである。この植毛穴２２に、用毛が束ねられた毛束２３が植設されて、複数の毛束からなる植毛部が形成されている。
【００２３】
なお、本実施形態では、ハンドル体１０の長さ方向をＸ方向とし、植毛面２０と平行で且つハンドル体１０の長さ方向に直交する幅方向をＹ方向とし、植毛面２０に直交する厚さ方向をＺ方向と称する。加えて、植毛面２０が臨む側を表面、植毛面２０が臨む側の反対側を裏面と称する。
【００２４】
ヘッド部２の大きさは、口腔内での操作性等を勘案して決定できる。
ヘッド部２の幅は、大きすぎると口腔内での操作性が低下し、小さすぎると植毛される毛束の数が少なくなりすぎて、清掃効果が損なわれやすい。このため、ヘッド部２の幅は、例えば、５〜１３ｍｍとされる。
【００２５】
ヘッド部２の厚さは、薄いほど口腔内での操作性を高められるが、薄すぎるとヘッド部２の強度が不十分になりやすい。このため、ヘッド部２の厚さは、ハンドル体１０の材質等を勘案して決定でき、例えば、１．５〜５ｍｍが好ましく、２〜３ｍｍがより好ましい。ヘッド部２の長さは、長すぎると口腔内での操作性が損なわれやすく、短すぎると植毛される毛束の数が少なくなりすぎて、清掃効果が損なわれやすい。このため、ヘッド部２の長さは、１０〜２６ｍｍの範囲で適宜決定される。
【００２６】
植毛穴２２の形状は、特に限定されず、真円又は楕円等の円形、三角形や四角形等の多角形等が挙げられる。植毛穴２２の数量は、特に限定されず、例えば、１０〜６０とされる。植毛穴２２の直径は、求める毛束２３の太さに応じて決定され、例えば、１〜３ｍｍとされる。植毛穴２２の配列パターンは、特に限定されず、いわゆる碁盤目状や千鳥状等、いかなる配列パターンであってもよい。
【００２７】
毛束２３を構成する用毛としては、毛先に向かって漸次その径が小さくなる用毛（テーパー毛）、毛先の丸め部を除いて外径がほぼ同一である用毛（ストレート毛）が挙げられる。用毛の材質は、例えば、６−１２ナイロン、６−１０ナイロン等のポリアミド、ＰＥＴ、ＰＢＴ、ポリトリメチレンテレフタレート（ＰＴＴ）、ＰＥＮ、ポリブチレンナフタレート（ＰＢＮ）等のポリエステル、ＰＰ等のポリオレフィン、オレフィン系エラストマー、スチレン系エラストマー等の合成樹脂材料を用いることができる。これらの樹脂材料は、１種単独で用いられてもよいし、２種以上が組み合わされて用いられてもよい。また、用毛は、芯部と該芯部の外側に設けられた少なくとも１層以上の鞘部とを有する多重芯構造であってもよい。
【００２８】
用毛の断面輪郭は、特に限定されず、例えば、真円形、楕円形等の円形、三角形、四角形、五角形、六角形等の多角形、星形、三つ葉のクローバー形、四つ葉のクローバー形等が挙げられる。
【００２９】
用毛の太さは、特に限定されず、断面輪郭が円形の場合、例えば、３〜１１ｍｉｌ（１ｍｉｌ＝１／１０００ｉｎｃｈ＝０．０２５ｍｍ）とされる。毛束は、全てが同じ太さの用毛で構成されていてもよいし、２種以上の異なる太さの用毛が組み合わされていてもよい。用毛の長さは、特に限定されず、例えば、６〜１２ｍｍとされる。
【００３０】
ハンドル部６は、一例として、ネック部４とハンドル部６との境界（即ち、ネック部後端）Ｐ２からハンドル体後端７に向かい、任意の径を維持したままハンドル体後端７に至る形状とされている。
【００３１】
ネック部４は、ヘッド部２とハンドル部６とを接続する。ネック部４は、一例として、ヘッド部２とネック部４の境界（即ち、ネック部先端）Ｐ１が最も小さい断面積とされ、当該断面積にて後端側に延び、後端側においてハンドル部６との境界Ｐ２まで漸次拡径する形状に形成されている。
【００３２】
ネック部４は、ヘッド部２に所定方向への力が加わったときに厚さ方向と幅方向とで異なる挙動で変位する異挙動部４Ａを有している。図３は、ヘッド部２およびネック部４を模式的に示した部分斜視図である。本実施形態では、歯列に対して４５°の角度で歯ブラシ１を当てるバス法を想定し、図３に示すように、ヘッド部２の植毛面２０の略中央部にＹＺ平面と平行、且つ植毛面２０に対して４５°の斜め方向（植毛面２０の法線に対して４５°傾斜した−Ｚ側および−Ｙ側に向く方向）の力Ｆが加わったときに、異挙動部４Ａは厚さ方向と幅方向とで異なる挙動で変位する構成となっている。
【００３３】
本実施形態における異挙動部４Ａは、ネック部４において、曲げ強度が最も小さく、且つ、断面積が一定の領域に形成されている。図４は、異挙動部４ＡをＹＺ平面で断面した図である。図４に示すように、異挙動部４Ａの断面形状は、Ｙ方向（植毛面２０）と平行な一辺を含む三角形である。すなわち、異挙動部４Ａの断面形状は、外接輪郭線を結んだときに、Ｙ方向と平行な一辺を含む三角形が形成される形状である。換言すると、異挙動部４Ａの断面形状は、三角形を形成する頂点（第１頂点）Ｖ１、頂点（第２頂点）Ｖ２、頂点（第３頂点）Ｖ３をそれぞれ頂部（以下、頂部Ｖ１〜Ｖ３と称する）とし、頂部Ｖ１〜Ｖ３間を結ぶ線分である辺Ｓ１〜Ｓ３をそれぞれ線部（以下適宜、線部Ｓ１〜Ｓ３と称する）とする三角形である。この三角形は、頂点Ｖ１および頂点Ｖ２を結ぶ線分である辺Ｓ３が植毛面２０と平行となるＹ方向と平行な二等辺三角形である。図４には、辺Ｓ３と対向する頂点Ｖ３が辺Ｓ３よりも＋Ｚ側（すなわち、植毛面２０側）に配置される構成が図示されているが、頂点Ｖ３が辺Ｓ３よりも−Ｚ側（すなわち、植毛面２０とは逆側）に配置される構成であってもよい。
【００３４】
辺Ｓ３と対向する頂点Ｖ３の頂角θとしては、６０°以上、９０°以下であることが好ましい。頂点Ｖ３の頂角θを６０°以上、９０°以下とすることにより、例えば、ヘッド部２の植毛面２０に上述の方向に力が加わった際に、異挙動部４Ａに関してＺ方向への荷重に対する断面二次モーメントとＹ方向への荷重に対する断面二次モーメントとが異なることから、ヘッド部２はＹ方向への変位が小さく、Ｚ方向への変位が大きい挙動を示す。
【００３５】
すなわち、頂点Ｖ３の頂角θが６０°以上、９０°以下の三角形をネック部４における断面輪郭にすることにより、毛束２３の毛先を歯列等の清掃対象部位に当接させ、植毛面２０に対して斜め方向の力が加わった際に、ヘッド部２の幅方向への変位を小さくして操作性の低下を抑制できるとともに、ヘッド部２の厚さ方向への大きな変位を許容して清掃対象部位に過剰な力が加わることを抑制できる。
【００３６】
また、頂点Ｖ３と辺Ｓ３との距離Ｌ１と、辺Ｓ３の長さＷ１との関係を調整することにより、上述の方向に力が加わった際の上記ヘッド部２のＺ方向への変位量を調整することができる。すなわち、距離Ｌ１が長さＷ１よりも長い場合には、上述の方向に力が加わった際の上記ヘッド部２のＺ方向への変位量を小さくすることができる。逆に、距離Ｌ１が長さＷ１よりも短い場合には、上述の方向に力が加わった際の上記ヘッド部２のＺ方向への変位量を大きくすることができる。
【００３７】
なお、図４では、異挙動部４Ａの断面輪郭の三角形を構成する辺Ｓ１〜Ｓ３が互いに交差する構成としているが、辺Ｓ１〜Ｓ３の各交差部において、交差する各辺に接する円弧状の曲線で辺同士を接続する構成としてもよい。
【００３８】
ネック部４における異挙動部４Ａの断面積は、ハンドル体１０の材質を勘案して決定でき、例えば、材質が曲げ弾性率２０００ＭＰａ以上の樹脂である場合、７〜１２．６ｍｍ２が好ましい。上記下限値以上であれば、ネック部４の強度が十分なものとなり、上記上限値以下であれば口腔内での操作性をより高められる。
ネック部後端Ｐ２の断面積は、ハンドル体１０の材質を勘案して決定でき、例えば、材質が曲げ弾性率２０００ＭＰａ以上の樹脂である場合、６０〜１５０ｍｍ２が好ましい。上記範囲内であればネック部４の撓み量を適切に規制でき、適切なブラッシング圧で清掃対象部位を清掃できる。
ネック部先端側の境界Ｐ１は、ヘッド部２の平面視形状の隅切を形成する曲線の終点（即ち、隅切を形成する曲線の曲がり方向が変化する位置）である。また、ネック部後端側の境界Ｐ２は、平面視において、ネック部４の拡幅が終了する位置である。
【実施例】
【００３９】
以下、実験例を示して本発明を詳細に説明するが、本発明は以下の記載によって限定されるものではない。
【００４０】
（実施例１〜４、比較例１〜３）
表１の仕様に従い、実施例１〜４、比較例１〜３について、図１と同様の歯ブラシについてシミュレーションを行った。実施例１〜４、比較例１〜３については、異挙動部４Ａの断面積を略同一とした。
【００４１】
実施例１の歯ブラシは、異挙動部４Ａの断面形状が、図５に示すように、頂点Ｖ３の頂角θが６０°、辺Ｓ３の長さＷ１が４．８９ｍｍ、距離Ｌ１が４．２４ｍｍの三角形である。実施例２の歯ブラシは、異挙動部４Ａの断面形状が、図６に示すように、頂点Ｖ３の頂角θが７５°、辺Ｓ３の長さＷ１が５．６４ｍｍ、距離Ｌ１が３．６７ｍｍの三角形である。実施例３の歯ブラシは、異挙動部４Ａの断面形状が、図７に示すように、頂点Ｖ１〜Ｖ３と、各頂点Ｖ１〜Ｖ３を結ぶ線分３３とを含む三角形を基準として、各頂点Ｖ１〜Ｖ３に対応する位置にそれぞれ配置され交差する各線分３３に接する、三角形の外側に膨らんだ略円弧形状の曲線３２ａで形成される頂部３２と、線分３３に対して三角形の中心側に窪み各頂部３２間を結ぶ略円弧状の曲線３１ａで形成される線部３１とを含む輪郭を有する。換言すると、実施例３における異挙動部４Ａは、線分３３を外接輪郭線とし、当該外接輪郭線に対して三角形の中心側に窪んだ曲線３１ａを輪郭としてＸ方向に延びる凹曲面３１Ａと、三角形の外側に膨らんだ略円弧形状の曲線３２ａを輪郭としてＸ方向に延びる凸曲面３２Ａとが周方向に交互にそれぞれ三つ形成された形状である。線分３３を結んで形成される三角形は、頂点Ｖ３の頂角θが７５°の三角形である。凹曲面３１Ａおよび凸曲面３２Ａを含む異挙動部４ＡのＹ方向の長さは５．０９ｍｍであり、Ｚ方向の長さは３．７９ｍｍである。実施例４の歯ブラシは、異挙動部４Ａの断面形状が、図８に示すように、実施例２の歯ブラシと同様の三角形であるが、頂点Ｖ３が辺Ｓ３に対して植毛面２０とは逆側に配置されている点で実施例２の歯ブラシとは異なっている。
【００４２】
比較例１の歯ブラシは、異挙動部４Ａの断面形状が、頂点Ｖ３の頂角θが４５°、辺Ｓ３の長さＷ１が４．１４ｍｍ、距離Ｌ１が５．００ｍｍの三角形である。比較例２の歯ブラシは、異挙動部４Ａの断面形状が、頂点Ｖ３の頂角θが１０５°、辺Ｓ３の長さＷ１が７．３５ｍｍ、距離Ｌ１が２．８２ｍｍの三角形である。比較例３の歯ブラシは、異挙動部４Ａの断面形状が、直径３．６３ｍｍの円形である。
【００４３】
上記実施例１〜４、比較例１〜３の歯ブラシについては、図３に示したように、各例に対応した３次元モデルをＣＡＤソフト（ダッソー・システムズ社製  ＣＡＴＩＡ（登録商標））を用いて作製し、計算ソフト（Livermore Software Technology Corporation製  LS-DYNA）を用いて変位量を算出した。実施例１〜４、比較例１〜３の歯ブラシについては、ヘッド部２における植毛面２０の略中央部に植毛面２０に対して４５°の斜め方向に、２００ｇの荷重を付与したときの、Ｚ方向（−Ｚ側）の変位量、Ｙ方向（−Ｙ側）の変位量、およびＸ方向（＋Ｘ側）の変位量をそれぞれシミュレーションによって求めた。
【００４４】
（評価方法）
＜Ｙ方向の変位量＞
植毛部を清掃対象部位に当接させた場合でも適切な角度を維持しづらくなり操作性が低下することを回避するために、上記の荷重によるＹ方向の変位量が７ｍｍ以下を好適な変位量とした。
【００４５】
＜Ｚ方向の変位量＞  
歯ブラシを用いた清掃時に清掃対象部位に過剰な力が加わることを回避するとともに、清掃量を保持するために、上記の荷重によるＺ方向の変位量が５ｍｍ以上、１１ｍｍ以下を好適な変位量とした。
【００４６】
＜Ｘ方向の変位量＞
植毛部を清掃対象部位に当接させた場合でも適切な角度を維持しづらくなり操作性が低下することを回避するために、上記の荷重によるＸ方向の変位量が０．５ｍｍ以下を好適な変位量とした。
【００４７】
≪判定基準≫
◎：三つの変位量が全て好適な範囲。
○：三つの変位量の中、二つが好適な範囲。
△：三つの変位量の中、一つが好適な範囲。
×：三つの変位量が全て好適な範囲外。
【００４８】
【表１】
2018023432.tif 000003
【００４９】
表１の結果で示されるように、ネック部４における異挙動部４Ａの断面輪郭が三角形であり、頂点Ｖ３の頂角が６０°以上、９０°以下である実施例１〜４は、Ｙ方向の変位量、Ｚ方向の変位量およびＸ方向の変位量のいずれも良好であり、良好な操作性および適切なブラッシング圧を実現できることが判った。また、頂点Ｖ３の頂角が上記の範囲であれば、頂点Ｖ３が辺Ｓ３に対して植毛面２０側、あるいは辺Ｓ３に対して植毛面２０とは逆側のいずれの場合も良好な操作性および適切なブラッシング圧を実現でき、さらに、Ｘ方向の変位量が小さいことから頂点Ｖ３が辺Ｓ３に対して植毛面２０側に配置されることがより好適であることが判った。
【００５０】
また、距離Ｌ１を辺Ｓ３の長さＷ１よりも大きくした場合には、Ｚ方向の変位量を小さくできるとともに、Ｙ方向の変位量を大きくできることが判った。逆に、距離Ｌ１を辺Ｓ３の長さＷ１よりも小さくした場合には、Ｚ方向の変位量を大きくできるとともに、Ｙ方向の変位量を小さくできることが判った。従って、距離Ｌ１と、辺Ｓ３の長さＷ１との相対関係を調整することにより、Ｚ方向の変位量とＹ方向の変位量との相対関係を調整できることが判った。
【００５１】
また、実施例３のように、異挙動部４Ａの断面輪郭が凹曲面３１および凸曲面３２を有する場合には、実施例１〜２、４と同様の効果が得られることに加えて、異挙動部４Ａの表面にエッジ形状がなくなりソフトなタッチ感が得られるとともに、意匠性に富んだ形状を選択することが可能になる。
【００５２】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００５３】
例えば、上記実施形態では、異挙動部４Ａが長さ方向（Ｘ方向）で一定の断面積で延びる構成を例示したが、この構成に限定されるものではなく、例えば、ヘッド部２からハンドル部６に向かうに従って、異挙動部４Ａの断面積が大きくなる構成としてもよい。
この構成を採ることにより、異挙動部４Ａに加わる応力を分散した状態で良好な操作性および適切なブラッシング圧を実現できる。
【００５４】
また、上記実施形態における実施例３では、異挙動部４Ａが線分３３を外接輪郭線とし、当該外接輪郭線に対して三角形の中心側に窪んだ曲線３１ａを断面輪郭としてＸ方向に延びる凹曲面３１Ａを有する構成を例示したが、この構成に限定されるものではなく、例えば、図９に示されるように、線分３３を外接輪郭線とし、当該外接輪郭線に対して三角形の外側に膨らんだ曲線３４ａを断面輪郭としてＸ方向に延びる凸曲面３４を有する構成であってもよい。さらに、上記の凹曲面３１Ａと凸曲面３４とが混在する構成であってもよい。凹曲面３１Ａと凸曲面３４とが混在する場合には、ヘッド部２の幅方向に関する曲げ強度が一方側（例えば右側）と他方側（例えば左側）で同一となるように、Ｙ方向と平行な線部３３に凹曲面３１Ａと凸曲面３４の一方を配置し、他の線部３３に凹曲面３１Ａと凸曲面３４の他方を配置することが好ましい。
【符号の説明】
【００５５】
１…歯ブラシ、  ２…ヘッド部、  ４…ネック部、  ４Ａ…異挙動部、  ６…ハンドル部、  ２０…植毛面、  ３１…線部、  ３１Ａ…凹曲面、  ３２…頂部、  ３２Ａ…凸曲面、  ３３…線分、  Ｖ１…頂点（第１頂点、頂部）、  Ｖ２…頂点（第２頂点、頂部）、  Ｖ３…頂点（第３頂点、頂部）、  Ｓ１〜Ｓ３…線部、辺
【図１】
2018023432.tif 000004
【図２】
2018023432.tif 000005
【図３】
2018023432.tif 000006
【図４】
2018023432.tif 000007
【図５】
2018023432.tif 000008
【図６】
2018023432.tif 000009
【図７】
2018023432.tif 000010
【図８】
2018023432.tif 000011
【図９】
2018023432.tif 000012